(57)【要約】【課題】ユーザーからの操作入力を極めて単純で感覚的に分かりやすいものとすることが可能な装置、方法を提供する。【解決手段】ＬＣＤ１０７上の指示位置の座標変化に対してユーザーからの指示内容を予め割り当てておく。制御部１３０は、タッチパネル１２１、座標検出部１２２を通じて、表示画面上の指示位置の座標変化を検出し、この検出結果に基づいて、その座標変化に対して割り当てられた指示内容を判別し、この判別した指示内容に基づいて、制御信号を形成する。この形成した制御信号によりユーザーの操作入力に応じた処理を行うようにする。【選択図】        図２
2004336597.tif 000002
【特許請求の範囲】
【請求項１】
表示画面上の２次元方向の指示位置の移動入力を受け付けて、移動開始から移動終了までの前記指示位置の座標変化を検出する検出手段と、
前記検出手段からの前記指示位置の座標変化の検出出力に基づいて、使用者からの指示内容を判別する判別手段と、
前記判別手段の判別結果に基づいて、使用者からの指示内容に応じた制御信号を形成する制御信号形成手段と
を備えることを特徴とする操作入力受付装置。
【請求項２】
請求項１に記載の操作入力受付装置であって、
供給される映像信号から表示用の映像信号を形成する映像信号処理手段と、
前記映像信号処理手段から供給される表示用の前記映像信号に応じた映像を表示する映像表示手段と
を備え、
前記検出手段は、前記映像表示手段の表示画面に設けられ、使用者からの接触入力を受け付けて、その接触位置の座標変化を検出するものであることを特徴とする操作入力受付装置。
【請求項３】
請求項１または請求項２に記載の操作入力受付装置であって、
前記制御信号形成手段からの前記制御信号を他の電子機器に送信する制御信号送信手段を備え、
前記他の電子機器を遠隔操作するようにすることを特徴とする操作入力受付装置。
【請求項４】
請求項２に記載の操作入力受付装置であって、
前記制御信号形成手段からの前記制御信号を、少なくとも２つの映像表示装置に対して異なる映像信号の供給が可能な映像信号出力装置に対して送信する制御信号送信手段を備え、
前記制御信号形成手段は、少なくとも前記映像信号出力装置に対する画像の表示切り換えのための制御信号を形成することを特徴とする操作入力受付装置。
【請求項５】
表示画面上の２次元方向の指示位置の移動入力を受け付けて、移動開始から移動終了までの前記指示位置の座標変化を検出する検出ステップと、
前記検出ステップにおいて検出した前記指示位置の座標変化に基づいて、使用者からの指示内容を判別する判別ステップと、
前記判別ステップにおいての判別結果に基づいて、使用者からの指示内容に応じた制御信号を形成する制御信号形成ステップと
を有することを特徴とする操作入力受付方法。
【請求項６】
請求項５に記載の操作入力受付方法であって、
表示画面上の指示位置の移動入力は、当該表示画面上に設けられ、使用者からの接触入力を受け付けて、その接触位置の座標変化を検出する手段を通じて行うことを特徴とする操作入力受付方法。
【請求項７】
請求項５に記載の操作入力受付方法であって、
前記制御信号形成手段からの前記制御信号を他の電子機器に送信する制御信号送信ステップを有し、
前記他の電子機器を遠隔操作するようにすることを特徴とする操作入力受付方法。
【請求項８】
請求項６に記載の操作入力受付方法であって、
前記制御信号形成手段からの前記制御信号を、少なくとも２つの映像表示装置に対して、異なる映像信号の供給が可能な映像信号出力装置に対して送信する制御信号送信ステップを有し、
前記制御信号形成ステップにおいては、少なくとも前記映像信号出力装置に対する画像の表示切り換えのための制御信号を形成することを特徴とする操作入力受付方法。
【請求項９】
操作入力受付装置と情報出力装置とが無線通信により接続されて形成される遠隔操作システムであって、
前記操作入力受付装置は、
表示画面上の２次元方向の指示位置の移動入力を受け付けて、移動開始から移動終了までの前記指示位置の座標変化を検出する検出手段と、
前記検出手段からの前記指示位置の座標変化の検出出力に基づいて、使用者からの指示内容を判別する判別手段と、
前記判別手段の判別結果に基づいて、使用者からの指示内容に応じた制御信号を形成する制御信号形成手段と
前記制御信号形成手段からの前記制御信号を、前記情報出力装置に送信するようにする制御信号送信手段と
を備え、
前記情報出力装置は、
前記操作入力受付装置からの前記制御信号を受信する制御信号受信手段と、
前記制御信号受信手段を通じて受け付けた制御信号に基づいて、自機あるいは自機に接続された外部機器を制御するようにする制御手段と
を備えることを特徴とする遠隔操作システム。
【請求項１０】
請求項９に記載の遠隔操作システムであって、
前記情報出力装置は、
放送信号の受信手段と、通信ネットワークへの接続手段と、映像データ、音声データ、テキストデータを記憶保持する記憶手段との内の１つ以上と、
前記それぞれの手段を通じて利用可能な情報信号を少なくとも２つの映像表示装置に対して送信する情報信号送信手段と
を備え、
前記操作入力受付装置において、
前記制御信号形成手段は、少なくとも前記情報出力装置に対する送出する情報信号の切り換えのための制御信号を形成することを特徴とする遠隔操作システム。
【請求項１１】
請求項９または請求項１０に記載の遠隔操作システムであって、
前記操作入力受付装置は、
供給される映像信号から表示用の映像信号を形成する映像信号処理手段と、
前記映像信号処理手段から供給される表示用の前記映像信号に応じた映像を表示する映像表示手段と
を備え、
前記検出手段は、前記映像表示手段の表示画面に設けられ、使用者からの接触入力を受け付けて、その接触位置の座標変化を検出するものであることを特徴とする遠隔操作システム。
【発明の詳細な説明】
【０００１】
【発明の属する技術分野】
この発明は、例えば、ホームネットワークに接続可能とされる電子機器であって、使用者からの操作入力を直接的に受け付ける装置、方法、システムに関する。
【０００２】
【従来の技術】
例えば、テレビ受像機において、画質の調整やタイマーの設定などは、テレビ受像機のリモートコマンダ（以下、リモコンと略称する。）のボタン操作等よって、テレビ受像機の表示画面に実行可能な処理を選択するためのメニューを表示する。そして、使用者は、テレビ受像機のリモコンを用いて、目的とする処理を選択し、表示画面に表示されるガイダンス表示などにしたがって、リモコンを操作することにより、画質の調整やタイマーの設定などの目的とする処理を行うことができるようにされている。
【０００３】
また、ＳＴＢ（Ｓｅｔ−Ｔｏｐ  ｂｏｘ）  やＩＲＤ（Ｉｎｔｅｇｒａｔｅｄ  Ｒｅｃｅｉｖｅｒ  Ｄｅｃｏｄｅｒ）などと呼ばれる衛星放送信号を受信する受信機などにおいては、ＥＰＧ（Ｅｌｅｃｔｒｏｎｉｃ  Ｐｒｏｇｒａｍ  Ｇｕｉｄｅ）などと呼ばれる電子番組ガイドなどのデータ表示を、モニタ受像機の表示画面に表示するようにすることが行われている。この場合には、使用者は、受信機のリモコンを用い、モニタ受像機の表示画面に表示されている電子番組ガイドに基づいて、視聴しようとする番組を選択することにより、受信機の選局チャンネルを変えることができるようにされている。
【０００４】
このように、テレビ受像機やテレビ放送信号を受信する受信機においては、メニューやガイダンス、あるいは、電子番組ガイドなどの情報表示と、リモコン操作とを組み合わせることによって、目的とする処理をわかりやすく比較的に簡単に実行させることができるように工夫されている。
【０００５】
ところが、前述のように、テレビ受像機やＳＴＢやＩＲＤに対して目的とする処理を行わせるために、メニューやガイダンスなどの必要な情報をテレビ受像機などの表示画面に表示し、この表示情報を見ながらリモコンを操作する方式では、リモコンに対する操作が繁雑になる場合がある。
【０００６】
例えば、複数のメニューの中から目的とする処理を選択項目として含むメニューを表示させるために、メニューのページ送りを複数回行わなければならなかったり、表示画面上のカーソルを移動させるためにリモコンに対して頻繁に操作を行わなければならなかったり、また、リモコンを通じて決定操作を行わなければならないなどの場合がある。
【０００７】
また、テレビ受像機などのモニタ装置も、ＬＣＤ（Ｌｉｑｕｉｄ  Ｃｒｙｓｔａｌ  Ｄｉｓｐｌａｙ）などを用いることによって、小型化、軽量化が進み、持ち運びが可能で、使用者の手が届く位置で使用されるものも増えてくると考えられる。このような場合には、テレビ受像機のリモコンは不用であるし、また、テレビ受像機に映像信号や音声信号を供給する受信機などの外部入力装置のリモコンの存在が煩わしくなってしまう。
【０００８】
そこで、本願出願人は、例えば、特許文献１（特開２００２−３４０２３号公報）に記載されているように、表示装置を用いて、テレビ番組などの映像情報を観視したり、音声情報を聴取したりすることができるとともに、表示装置の表示素子に表示される操作用表示情報とその表示素子の表示画面に設けられるタッチパネルなどの接触位置検出手段を通じて、当該表示装置が接続するようにされるホームネットワークシステムのいわゆるベース装置やベース装置に接続される外部入力装置を遠隔操作できるようにすることを提案している。
【０００９】
ここで、ベース装置は、放送信号の受信機能、ＩＲＤ、ＳＴＢ、ＶＴＲ（Ｖｉｄｅｏ  Ｔａｐｅ  Ｒｅｃｏｒｄｅｒ）、ＤＶＤ（Ｄｉｇｉｔａｌ  Ｖｅｒｓａｔｉｌｅ  Ｄｉｓｃ）の再生装置や記録再生装置（以下、単にＤＶＤ装置という。）などの外部入力装置からの情報の受付機能、通信ネットワークへの接続機能等を備え、表示装置に対して受信した放送信号による情報や外部入力装置からの情報、通信ネットワークを通じて取得した情報等を無線などの通信手段を通じて提供することができるものである。
【００１０】
そして、上述の特許文献１に記載の方式を用いることによって、表示素子の表示画面に表示される操作用表示情報の内の目的とする表示項目にユーザーが指などを接触させるとその接触位置が検出され、どの表示項目が選択されたかが判別されて、その選択された表示項目に対応する処理を行うことができるようにされる。
【００１１】
この特許文献１の方式を用いることによって、複雑なリモコン操作を行うことなく、表示装置に表示される操作用表示情報およびタッチパネルなどの接触位置検出手段を通じて、いわゆるベース装置やこれに接続された外部入力装置に対する遠隔操作を行うことを可能にし、より使い勝手のよいホームネットワークシステムの構築を実現する双方向通信システムを提案している。
【００１２】
【特許文献１】
特開２００２−３４０２３号公報
【００１３】
【発明が解決しようとする課題】
ところで、上述の特許文献１に記載された双方向通信システムでは、表示装置の表示素子に表示される操作用表示情報とタッチパネルなどの接触位置検出手段を通じて、いわゆるベース装置やこのベース装置に接続される外部入力装置を遠隔操作することができ、所望の映像を簡単に選択して表示装置に表示することができるようにしている。
【００１４】
しかしながら、家庭内に形成されるいわゆるホームネットワークシステムには、ＶＴＲやＤＶＤプレーヤなどの種々の外部入力装置が複数台接続されることはもとより、表示装置なども複数台接続されて用いられるなど、その構成が多種多様になってきている。
【００１５】
このため、種々の電子機器が接続されたいわゆるホームネットワークシステムにおいては、そのホームネットワークシステムの構成に応じて、そのホームネットワークシステムに接続された種々の電子機器の中の目的とする電子機器をより簡単な操作で制御できるようにすることが望まれている。また、ユーザーの利便性等を考慮して、ホームネットワークシステムにかかわる場合だけでなく、テレビ受像機などの電子機器自体をより簡単な操作で制御できるようにすることが求められている。
【００１６】
以上のことにかんがみ、この発明は、ユーザーからの操作入力を極めて単純で感覚的に分かりやすいものとすることが可能な装置、方法、システムを提供することを目的とする。
【００１７】
【課題を解決するための手段】
上記課題を解決するため、請求項１に記載の発明の操作入力受付装置は、
表示画面上の２次元方向の指示位置の移動入力を受け付けて、移動開始から移動終了までの前記指示位置の座標変化を検出する検出手段と、
前記検出手段からの前記指示位置の座標変化の検出出力に基づいて、使用者からの指示内容を判別する判別手段と、
前記判別手段の判別結果に基づいて、使用者からの指示内容に応じた制御信号を形成する制御信号形成手段と
を備えることを特徴とする。
【００１８】
この請求項１に記載の発明の操作入力受付装置によれば、表示画面上の指示位置の座標変化に対してユーザーからの指示内容を予め割り当てておく。例えば、表示画面上の指示位置の画面横方向の移動に対しては処理Ａを割り当て、表示画面上の指示位置の画面縦方向の移動に対しては処理Ｂを割り当てるようにしておく。
【００１９】
そして、判別手段により、検出手段により検出される表示画面上の指示位置の座標変化に基づいて、その座標変化に対して割り当てられた指示内容が判別され、この判別された指示内容に基づいて、制御信号形成手段により制御信号が形成される。この形成された制御信号が用いられて、使用者の操作入力に応じた処理が行われる。
【００２０】
すなわち、上述した例に従えば、表示画面上の指示位置の画面横方向の移動を受け付けた場合には、処理Ａを実行するように制御信号が形成され、表示画面上の指示位置の画面縦方向の移動を受け付けた場合には、処理Ｂを実行するように制御信号が形成される。
【００２１】
このように、表示画面上の指示位置の移動入力と言う感覚的に分かりやすい操作入力で、目的とする処理を行うなどの指示入力を与えるようにすることができる。この場合、基本的に、操作を行うための表示を行う必要もなく、また、特別に操作ボタンキーを設けることなく、操作入力を受け付けて、目的とする処理を行うようにすることができる。
【００２２】
【発明の実施の形態】
以下、本発明の実施の形態について、図面を参照して詳細に説明する。
以下に説明する実施の形態においては、家庭内に形成されるホームネットワークシステムであって、例えば、図１に示すように形成される映像表示システム１にこの発明を適用した場合を例にして説明する。
【００２３】
［映像表示システム１について］
図１に示すように、この実施の形態の映像表示システム１は、可搬型表示装置１００、ベース装置（ベースステーション）２００、大画面表示装置３００とからなり、ベース装置２００から供給される映像信号を可搬型表示装置１００と大画面表示装置３００で表示するようになっている。
【００２４】
すなわち、ベース装置２００は、詳しくは後述するが、放送信号の受信機能、ネットワーク（この実施の形態においてはインターネット）への接続機能、ＤＶＤプレーヤなどの外部機器との接続機能を備え、放送信号により提供される情報やネットワークを通じて取得する情報を可搬型表示装置１００と大画面表示装置３００に供給し、それらにおいて利用できるようにするものである。
【００２５】
また、この実施の形態において、可搬型表示装置１００としては、表示素子としてＬＣＤ１０７を用いた液晶ディスプレイ装置が用いられ、また、大画面表示装置３００は、大画面のプラズマディスプレイ装置が用いられるようにされている。そして、可搬型表示装置１００とベース装置２００とは無線通信により接続するようにされ、大画面表示装置３００とベース装置２００とは有線により接続するようにされている。
【００２６】
このように構成される映像表示システム１において、可搬型表示装置１００が、操作入力受付装置としての機能を有し、また、ベース装置２００が情報出力装置としての機能を有するものである。
【００２７】
［可搬型表示装置１００について］
まず、可搬型表示装置１００について説明する。図２は、この実施の形態の可搬型表示装置１００を説明するためのブロック図である。可搬型表示装置１００は、図２に示すように、送受信アンテナ１０１、アンテナ共用器１０２、受信処理部１０３、デコード部１０４、ＯＳＤ（Ｏｎ  Ｓｃｒｅｅｎ  Ｄｉｓｐｌａｙ）処理部１０５、映像信号処理部１０６、ＬＣＤ１０７、音声信号増幅部１０８、スピーカー１０９、送信信号形成部１１１、送信処理部１１２、タッチパネル１２１、座標検出部１２２を備えている。
【００２８】
この可搬型表示装置１００の各部は、制御部１３０によって制御される。制御部１３０は、ＣＰＵ（Ｃｅｎｔｒａｌ  Ｐｒｏｃｅｓｓｉｎｇ  Ｕｎｉｔ）１３１、ＲＯＭ（Ｒｅａｄ  Ｏｎｌｙ  Ｍｅｍｏｒｙ）１３２、ＲＡＭ（Ｒａｎｄｏｍ  Ａｃｃｅｓｓ  Ｍｅｍｏｒｙ）１３３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１３４がＣＰＵバス１３５を通じて接続されて構成されたマイクロコンピュータからなる。
【００２９】
ＲＯＭ１３２は、この可搬型表示装置１００において実行する各種の処理プログラムや処理に必要なデータなどが記録されたものである。ＲＡＭ１３３は、各種の処理において得られたデータを一時的に記憶保持するなどのように、主に各種の処理の作業領域として用いられる。
【００３０】
ＥＥＰＲＯＭ１３４は、いわゆる不揮発性のメモリーであり、電源が落とされても、記憶保持した情報が失われることがなく、例えば、各種の設定パラメータや、ベース装置２００を通じて、取得するようにしたインターネット上のホームページや、ベース装置２００を通じて送信する作成した電子メールや受信した電子メールなどを記憶保持する。
【００３１】
また、この実施の形態の可搬型表示装置１００には、ハードディスク装置１６０が接続されるとともに、半導体メモリーを利用した外部メモリーであるいわゆるメモリーカード１７０が着脱可能とされている。ハードディスク１６０、メモリーカード１７０は、記憶領域の比較的に大きな記録装置であり、静止画、動画等の画像データ、音声データ、テキストデータ等が保存される。
【００３２】
なお、メモリーカード１７０としては種々のものが提供されているが、この実施の形態においては、ソニー株式会社が規格化したメモリースティック（登録商標）と呼ばれる細長い形状を有するものが用いられる。
【００３３】
そして、この実施の形態においては、タッチパネル１２１と座標検出部１２２とが検出手段を構成し、制御部１３０が判別手段および制御信号形成手段を構成する。また、主に、ＯＳＤ処理部１０５と映像信号処理部１０６とが映像信号処理手段を構成し、ＬＣＤ１０７が映像表示手段を構成している。また、送信信号形成部１１１、送信処理部１１２、共用器１０２、送受信アンテナ１０１によって、制御信号送信手段を構成している。
【００３４】
なお、上述もしたように、可搬型表示装置１００の制御部１３０は、可搬型表示装置１００の各部を制御するものであり、多くの場合、制御部１３０と可搬型表示装置１００の各部とが協働することにより、各部の機能が実現するようにされる。
【００３５】
ここで、ベース装置２００からの無線信号を受信する場合の可搬型表示装置１００の動作について説明する。この可搬型表示装置１００とベース装置２００との間においては、例えば、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）８０２．１１方式のプロトコル、あるいは、その発展プロトコルなどの所定のプロトコルが用いられて無線通信が行われる。
【００３６】
ベース装置２００から所定の通信プロトコルに準拠した無線信号は、可搬型表示装置１００の送受信アンテナ１０１により受信され、アンテナ共用器（以下、単に共用器という。）１０２を通じて受信処理部１０３に供給される。共用器１０２は、送信信号と受信信号とが干渉し合うことを防止するためのものである。
【００３７】
つまり、この可搬型表示装置１００は、ベース装置２００からの信号を送受信アンテナ１０１を通じて受信することができるとともに、自機からの操作信号などを送受信アンテナ１０１を通じて無線送信することができる。このため、共用器１０２は、送信処理部１１２からの送信信号が、送受信アンテナ１０２を通じて受信される受信信号に対して干渉することがないようにしている。
【００３８】
受信処理部１０３は、これに供給された信号を復調するなどの処理を行って、復調後の信号をデコード部（伸長処理部）１０４に供給する。ベース装置２００は、後述もするように、受信選局した放送信号の映像信号や音声信号、ネットワークを通じて取得した映像データ、音声データ、テキストデータなどの情報信号をデータ圧縮して送信してくる。
【００３９】
可搬型表示装置１００のデコード部１０４は、受信処理部１０３からの復調されたデータ圧縮されている信号の供給を受けて、映像信号と音声信号とを分離し、分離した信号を伸長（圧縮解凍）することにより、データ圧縮前の元の信号を復元する。
【００４０】
そして、デコード部１０４は、復元した映像信号と音声信号とをＤ／Ａ変換し、アナログ映像信号とアナログ音声信号とを形成する。そして、デコード部１０４は、アナログ映像信号を、ＯＳＤ処理部１０５に供給し、アナログ音声信号を、音声信号増幅部１０８に供給する。
【００４１】
ＯＳＤ処理部１０５は、制御部１３０から供給されるデータに応じて、操作用表示情報であるコントロールパネルやメニュー表示、各種のメッセージ等を表示するようにするための映像信号処理を行うものであり、放送番組の映像のほかの文字、絵、記号などの表示情報を表示するようにするためのいわゆるテキスト／グラフィック処理回路である。
【００４２】
例えば、使用者からの指示に応じて、チャンネルを変更したり、情報の供給元となる外部入力装置を制御したりするために用いるようにするコントロールパネルを表示する場合には、これを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４３】
また、使用者からの指示に応じて、選択するようにされているチャンネルを示す文字情報や音量レベルを示す音量バーなどを表示する場合には、これらを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４４】
また、コントロールパネルなどの表示情報を合成する必要がない場合には、ＯＳＤ処理部１０５には、表示情報は供給されないので、デコード部１０４からのアナログ映像信号が、そのまま映像信号処理回路１０７に供給される。映像信号処理部１０６は、ＯＳＤ処理部１０５を通じて供給される映像信号から、表示用信号を形成し、これをＬＣＤ１０７に供給する。
【００４５】
これにより、ＬＣＤ１０７の表示画面には、ベース装置２００から無線送信されてきた映像信号に応じた映像が表示される。この場合、ＯＳＤ処理部１０５において、コントロールパネルなどの表示情報が合成されている場合には、コントロールパネルなどの表示情報が、デコード部１０４からの映像信号による映像とともに表示される。
【００４６】
一方、音声信号増幅部１０８は、これに供給された音声信号を所定のレベルにまで増幅し、これをスピーカー１０９に供給する。これにより、スピーカー１０９からは、ベース装置２００から無線送信されてきた音声信号に応じた音声が放音される。
【００４７】
また、上述もしたように、制御部１３０には、ハードディスク装置１６０、メモリーカード１７０が接続されている。制御部１３０は、これらの記憶装置から画像データ（静止画データ、動画データ）、音声データ、テキストデータを読み出し、これらの各データをデコード部１０４やＯＳＤ処理部１０５へ供給する。
【００４８】
デコード部１０４、ＯＳＤ１０５は、上述もしたように、これに供給された映像信号、音声信号から出力用の映像信号、音声信号を形成し、出力用映像信号（表示情報）は映像処理部１０６を通してＬＣＤ１０７へ供給し、音声情報は音声増幅部１０８を通してスピーカー１０９へと供給する。
【００４９】
このように、可搬型表示装置１００は、ベース装置２００から無線送信されてくるテレビ放送番組などの映像信号や音声信号等の情報信号を受信して、或いはハードディスク装置１６０、メモリーカード１７０などの自機に接続するようにされた記憶装置からの映像信号や音声信号等の情報信号を再生して出力することにより、使用者に提供することができるようにしている。
【００５０】
また、可搬型表示装置１００は、そのＬＣＤ１０７の表面に設けられたタッチパネル１２１による使用者からの操作入力を受け付け、この操作入力に応じた操作信号をベース装置２００に送信するリモコンとして機能する。
【００５１】
すなわち、この可搬型表示装置１００は、使用者からの操作入力を受け付けるためのタッチパネル１２１がＬＣＤ１０７の表面に貼付されている。そして、この可搬型表示装置１００では、使用者の指などが接触したＬＣＤ１０７に貼付されたタッチパネル１２１上の接触位置（座標位置）を座標検出部１２２により連続的に検出するようにして、接触位置の座標変化を検出し、座標検出部１２２による検出出力に基づいて制御部１３０において、使用者からの操作入力を判別して、その操作入力に応じた操作信号（操作にかかる制御信号）を形成する。
【００５２】
制御部１３０は、上述のように操作入力に応じて形成される操作信号を送信信号形成部１１１に供給する。送信信号形成部１１１は、制御部１３０からの操作信号からベース装置２００に送信する送信信号を形成し、これを送信処理部１１２に供給する。送信処理部１１２は、供給された送信信号を変調したり増幅したりするなどの処理を行って、実際に送信する形式の送信信号を形成し、これを共用器１０２、送受信アンテナ１０１を通じてベース装置２００に対して無線送信する。
【００５３】
このようにして、可搬型表示装置１００から無線送信される操作信号は、ベース装置２００により受信され、ベース装置２００において、可搬型表示装置１００からの操作信号に応じた処理が行うようにされる。
【００５４】
また、この可搬型表示装置１００には、インターフェース（図２においては／Ｆと記載。）１４０を通じて、キー入力部１４１が接続されている。キー操作部１４１は、例えば、電源のオン／オフスイッチなど備えたものであり、このキー操作部１４１を通じて受け付けた操作入力は、Ｉ／Ｆ１４０を通じて制御部１３０に供給され、電源の投入など操作キーに応じた処理を行うことができるようにされる。
【００５５】
［ベース装置２００について］
次に、ベース装置２００について説明する。図３は、この実施の形態のベース装置２００を説明するためのブロック図である。ベース装置２００は、図３に示すように、いわゆるダブルチューナの構成とされ、第１、第２の受信アンテナ２０１Ａ、２０１Ｂ、第１、第２のチューナ２０１Ａ、２０１Ｂ、第１、第２の復調部復調部２０３Ａ、２０３Ｂを備えたものである。
【００５６】
また、ベース装置２００は、映像信号入力端子２０４、音声信号入力端子２０５、セレクタ２０６、映像音声処理部２１８、圧縮処理部２０７、送信信号形成部２０８、送信処理部２０９、アンテナ共用器（以下、単に共用器という。）２１０、送受信アンテナ２１１、受信処理部２１２、制御部２３０を備えている。
【００５７】
映像信号入力端子２０４、音声信号入力端子２０５は、ＶＴＲ、ＳＴＢ、ＩＲＤ、ＤＶＤ装置などの種々の外部入力装置を接続ためのものである。なお、映像信号入力端子、音声信号入力端子を複数個設けておくことにより、複数の外部入力装置をこのベース装置２００に接続し、これらを切り換えて利用するようにすることもできるようにされる。
【００５８】
制御部２３０は、この実施の形態のベース装置２００の各部を制御するものであり、ＣＰＵ２３１、ＲＯＭ２３２、ＲＡＭ２３３、ＥＥＰＲＯＭ２３４がＣＰＵバス２３５を通じて接続されて構成されたマイクロコンピュータの構成とされたものである。
【００５９】
ここで、ＲＯＭ２３２は、この実施の形態のベース装置２００において実行する各種の処理プログラムや処理に必要なデータなどが記録されたものである。ＲＡＭ２３３は、各種の処理において得られたデータを一時的に記憶保持するなどのように、主に各種の処理の作業領域として用いられるものである。
【００６０】
ＥＥＰＲＯＭ２３４は、いわゆる不揮発性のメモリーであり、電源が落とされても、記憶保持した情報が失われることがなく、例えば、ベース装置２００の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００６１】
また、制御部２３０には、モデム部２２０が接続されている。モデム部２２０は、インターフェース（以下、Ｉ／Ｆと略称する。）部２２１と、通信部２２２とからなっている。Ｉ／Ｆ部２２１は、通信回線、この実施の形態においては電話回線と、このベース装置２００との間のインターフェースであり、電話回線を通じて送信されてくる信号を受信したり、ベース装置２００からの信号を電話回線に送信したりすることができるようにしている。
【００６２】
通信部２２２は、Ｉ／Ｆ部２２１を通じて受信した信号を復調して、これを制御部２３０に供給したり、制御部２３０からの送信信号を変調して、これをＩ／Ｆ部２２１に供給したりする。これにより、電話回線が接続された相手先との間で、各種のデータの送信、受信を行うことができるようにしている。なお、図３において、端子ＭＪは、外部から引き込まれた電話線Ｌとの接続端子（モジュラージャック）である。
【００６３】
そして、このベース装置２００は、モデム部２２０、電話線Ｌ、及び、所定のＩＳＰ（Ｉｎｔｅｒｎｅｔ  Ｓｅｒｖｉｃｅ  Ｐｒｏｖｉｄｅｒ）を通じてインターネットに接続し、インターネットを通じて各種の情報の提供を受けたり、電子メールを送信したり受信したりすることができるようにしている。
【００６４】
このため、制御部２３０は、モデム部２２０を制御して、オフフックしたりオンフックしたりすることができるとともに、オフフックするようにモデム部２２０を制御したときには、ダイヤル信号を電話回線に送出するようにするいわゆるダイヤラとしての機能などをも備えたものである。
【００６５】
また、ベース装置２００の制御部２３０には、リモコンマウスなどと呼ばれる赤外線のリモコン信号を送出するリモコン信号形成部２４１、リモコン信号の出力端子２４２を通じて、リモコン信号送出部２５０が接続され、可搬型表示装置１００からの操作信号に応じたリモコン信号を形成し、これをリモコン信号送出部２５０からＳＴＢ等の外部入力装置に対して送信することができるようにしている。
【００６６】
また、図３にも示すように、制御部２３０には、ハードディスク装置２６０、メモリーカード２７０が接続されており、制御部２３０は、自機に提供された映像信号や音声信号等の情報をハードディスク装置２６０やメモリーカード２７０に記憶保持させることができるとともに、ハードディスク装置２６０やメモリーカード２７０に記憶保持されている情報を読み出して、再生し、これを出力することができるようにしている。
【００６７】
なお、図示しないが、制御部２３０には、電源のオン／オフキーや各種の設定キーが設けられたキー入力部が接続されており、ベース装置２００の主電源のオン／オフや、各種の設定入力が、キー入力部を通じて行うことができるようにしている。
【００６８】
そして、ベース装置２００の第１のチューナ２０２Ａは、受信アンテナ２０１Ａを介して供給されるテレビジョン放送信号から、制御部２３０からの選局指示信号に応じたチャンネルのテレビジョン放送信号を選局し、この選局したテレビジョン放送信号を復調部２０３Ａに供給する。復調部２０３Ａは、これに供給されたテレビジョン放送信号を復調して、復調後の信号（テレビ番組の信号）をセレクタ２０６に供給する。
【００６９】
同様に、第２のチューナ２０２Ｂは、受信アンテナ２０１Ｂを介して供給されるテレビジョン放送信号の中から、制御部２３０からの選局指示信号に応じたチャンネルのテレビジョン放送信号を選局し、この選局したテレビジョン放送信号を復調部２０３Ｂに供給する。復調部２０３Ｂは、これに供給されたテレビジョン放送信号を復調して、復調後の信号（テレビ番組の信号）をセレクタ２０６に供給する。
【００７０】
セレクタ２０６には、上述した復調部２０３Ａ、２０３Ｂからのテレビ放送番組の信号の他、映像信号の外部入力端子２０４を通じて入力された映像信号、音声信号の外部入力端子２０５を通じて入力される音声信号が供給される。また、セレクタ２０６には、映像音声処理部２１８で処理された映像信号や音声信号も供給される。
【００７１】
映像音声処理部２１８には、制御部２３０からの情報が供給される。制御部２３０から映像音声処理部２１８に供給される情報としては、モデム部２２０を通じて、取り込んだ、例えば、インターネット上に公開されているいわゆるホームページの情報や、電子メールなどの情報、さらに、ハードディスク装置２６０やメモリーカード２７０に記録されている画像データ、音声データ、テキストデータなどの情報である。
【００７２】
映像音声処理部２１８は、制御部２３０を介してＣＰＵ２３１と連携し、取り込んだ情報をその情報の形式に基づいて、出力するための映像音声信号に変換し、出力端子２１９から高精彩なコンポーネント信号を出力するようにするとともに、通常の（標準精細の）映像信号と音声信号とをセレクタ２０６に供給する。
【００７３】
すなわち、映像音声処理部から出力端子２１９に供給される映像信号は、いわゆるコンポーネント信号（Ｒ（赤）信号、Ｇ（緑）信号、Ｂ（青）信号の３原色信号（ＲＧＢ信号）またはＹ信号、ＰＢ信号、ＰＲ信号で表される輝度信号と色信号）であり、通常のテレビジョン信号より走査線数や画素数が多く遥かに高精彩な信号が出力するようにされる。一方、映像音声処理部２１８からセレクタ２０６に供給される映像信号は、いわゆるコンポジット信号（復号映像信号）または輝度信号と色信号とからなるＳ（セパレート信号）が供給するようにされる。
【００７４】
このように、映像音声処理部２１８が２系統の出力系を有するのは、コンポーネント信号の入力端子を備えた高精彩の大画面表示装置だけでなく、コンポーネント信号の入力端子を備えない標準的な精細度の一般的なテレビ受像機に対しても、映像信号および音声信号を供給できるようにするためである。
【００７５】
そして、セレクタ２０６は、制御部２３０からの切り換え制御信号に応じて、後段の圧縮処理部２０７に供給する映像信号、音声信号を切り換える。具体的に言えば、復調部２０３Ａからの信号を出力するか、復調部２０３Ｂからの信号を出力するか、外部入力端子２０４、２０５からの信号を出力するか、映像音声処理部２１８からの信号を出力するか、制御部２３０からの例えばメッセージ出力などのための信号を出力するかを切り換える。
【００７６】
制御部２３０からセレクタ２０６に供給される切り換え制御信号は、前述したように、可搬型表示装置１００から無線送信されてくる操作信号に応じて、制御部２３０において形成されるものである。すなわち、可搬型表示装置１００からの送信信号として送信されてくる操作信号は、送受信アンテナ２１１により受信され、共用器２１０を通じて受信処理部２１２に供給され、ここで復調されて制御部２３０に供給される。このようにして可搬型表示装置１００から供給される操作信号に応じて制御部２３０は切り換え制御信号を形成する。
【００７７】
そして、制御部２３０からの切り換え制御信号により切り換え制御されるセレクタ２０６からの出力信号は、圧縮処理部２０７に供給される。圧縮処理部２０７は、これに供給された信号を所定の圧縮方式を用いてデータ圧縮する。この圧縮処理部２０６においては、例えば、ＭＰＥＧ方式やＷａｖｅｌｅｔ方式などのデータ圧縮方式を用いて、セレクタ２０６からの信号をデータ圧縮する。
【００７８】
圧縮処理部２０７においてデータ圧縮された信号は、送信信号形成部２０８に供給される。送信信号形成部２０８は、予め決められた通信プロトコルに準拠した送信信号を形成する。この実施の形態において、ベース装置２００は、例えば、ＩＥＥＥ８０２．１１方式のプロトコル、あるいは、その発展プロトコルに準拠した送信信号を形成する。
【００７９】
なお、モデム２２０を通じて取得した情報のテキストデータや映像データ、音声データはデータのまま圧縮処理部２０７に入力され送信信号形成部に送られる。この場合、図２に示したこの実施の形態の可搬型表示装置１００においては、画像処理部（図２ではＯＳＤ処理部１０５）やデコード部１０４に内蔵される音声処理部でベース装置２００からの情報を処理し、映像信号はＬＣＤ１０７にまた音声信号はスピーカー１０９に供給するようにされ、これらを通じて視聴できるようにされる。
【００８０】
送信信号形成部２０８において形成された送信信号は、送信処理部２０９に供給される。送信処理部２０９は、制御部２３０からの制御信号に応じて、送信信号の変調処理や増幅処理を行う。送信処理部２０９において処理された送信信号は、共用器２１０、送受信アンテナ２１１を通じて無線送信される。共用器２１０は、可搬型表示装置１００の共用器１０２と同様に、送信信号と受信信号とが干渉し合うことを防止する。
【００８１】
このようにして、この実施の形態のベース装置２００は、第１のチューナ２０２Ａにより選局されたテレビ放送番組の映像信号や音声信号、第２のチューナ２０２Ｂにより選局されたテレビ放送番組の映像信号や音声信号、あるいは、外部入力端子２０４、２０５通じて受け付けた映像信号や音声信号、あるいは映像音声処理部２１８からの映像信号や音声信号を、データ圧縮して、所定の通信プロトコルで無線送信することにより、可搬型表示装置１００に供給するようにしている。
【００８２】
また、第１のチューナ２０２Ａにより選局されたテレビ放送番組の映像信号や音声信号、第２のチューナ２０２Ｂにより選局されたテレビ放送番組の映像信号や音声信号、あるいは、外部入力端子２０４、２０５通じて受け付けた映像信号や音声信号、あるいは映像音声処理部２１８からの映像信号や音声信号をベース装置２００の出力端子２１５から接続ケーブルを介して大画面表示装置３００に供給することができるようにしている。
【００８３】
また、モデム２２０を通じて取得した情報であるテキストデータや映像データ、音声データは映像音声処理部２１８により高精彩なコンポーネント信号（Ｒ、Ｇ、Ｂの各信号、または、Ｙ、ＰＢ、ＰＲの各信号）に変換されベース装置２００の出力端子２１９から接続ケーブルを介して大画面表示装置３００に供給することができるようにされる。
【００８４】
なお、この実施の形態において、大画面表示装置３００は、コンポーネント映像信号の入力端子とコンポジット映像の入力端子とを備えるとともに、例えばインチ数が３０インチ以上の大画面を有し、一般に提供するようにされているプラズマディスプレイ装置である。このため、大画面表示装置３００についての説明は省略する。
【００８５】
［映像表示システムの基本動作］
そして、図２を用いて説明した可搬型表示装置１００と、図３を用いて説明したベース装置２００と、通常の大画面表示装置３００とにより、図１に示したようにこの実施の形態の映像表示システムが構成され、さらに、ベース装置２００に対して、ＶＴＲやＤＶＤ装置などの外部入力装置を接続することによって、実際に使用される映像表示システム１が構成されることになる。
【００８６】
また、この実施の形態の映像表示システム１では、可搬型表示装置１００とベース装置２００との間において、双方向の無線通信が可能とされているので、使用者は、可搬型表示装置１００のタッチパネル１２１を操作することにより、ベース装置２００に接続される外部入力装置に対する操作入力を行い、ベース装置２００を通じて外部入力装置を遠隔操作することができるようにされる。
【００８７】
可搬型表示装置１００は、小型化、軽量化がされているので、持ち運びに適している。このため、使用者は、ベース装置２００と通信が可能な範囲内であれば、可搬型表示装置１００を持ち運び、何処ででも可搬型表示装置１００を用いて、ベース装置２００から提供される情報信号を再生して出力するようにして、ベース装置２００からの情報を利用することができる。
【００８８】
つまり、可搬型表示装置１００を用いることにより、ベース装置２００の第１のチューナ２０２Ａまたは第２のチューナ２０２Ｂにより選局されるテレビジョン放送信号により提供されるテレビジョン放送番組を視聴したり、ベース装置２００にＳＴＢが接続されている場合には、当該ＳＴＢからの衛星放送信号により提供される衛星放送番組を視聴するようにしたり、さらに、ベース装置２００にＶＴＲやＤＶＤ装置などの外部入力機器が接続されている場合には、これらＶＴＲやＤＶＤ装置により再生される映画などを視聴することができる。
【００８９】
また、ベース装置２００のモデム２２０を通じてインターネット上に提供されているいわゆるホームページ（Ｗｅｂページ）等の情報を取得し、その取得した情報を可搬型表示装置１００を通じて視聴するようにしたり、自己宛ての電子メールを受信して、その電子メールを可搬型表示装置１００のＬＣＤ１０７に表示して見たり、さらに、電子メールを作成して目的とする相手先にベース装置２００を通じて送信したりすることができるようにされる。
【００９０】
同様に、大画面表示装置３００を通じてもベース装置２００からの種々の情報を利用することができるようにされる。すなわち、ベース装置２００と有線により接続される大画面表示装置３００を通じて、ベース装置２００の第１のチューナ２０２Ａまたは第２のチューナ２０２Ｂにより選局されるテレビジョン放送信号により提供されるテレビジョン放送番組を視聴したり、ベース装置２００にＳＴＢが接続されている場合には、当該ＳＴＢからの衛星放送信号により提供される衛星放送番組を視聴したり、さらに、ベース装置２００にＶＴＲやＤＶＤ装置が外部入力機器として接続されている場合には、これらＶＴＲやＤＶＤ装置により再生される映画などを視聴することができる。
【００９１】
もちろん、ベース装置２００のモデム２２０を通じてインターネット上に提供されているいわゆるホームページの情報を取得し、そのホームページの情報を大画面表示装置３００を通じて視聴することもできる。また、大画面表示装置３００を通じても、ベース装置２００のモデムを通じて入手した情報を視聴するようにしたり、自己宛ての電子メールを受信して、その電子メールをＬＣＤ１０７に表示して見たりすることもできる。
【００９２】
また、可搬型表示装置１００と大画面表示装置３００とでは、それぞれ異なる情報を表示することももちろん可能である。ベース装置２００は、例えば、可搬型表示装置１００へは第１のチューナ２０２Ａにより選局するようにされた放送番組を、一方、大画面表示装置３００へは、第２のチューナＢにより選局するようにされた放送番組を提供することができるものである。
【００９３】
すなわち、可搬型表示装置１００と大画面表示装置３００とでは、同じベース装置２００から供給される情報であっても、異なる情報を出力するようにすることもできるし、また、可搬型表示装置１００と大画面表示装置３００とが同じ情報を出力するようにして、ユーザーに提供することもできるようにされている。
【００９４】
なお、電子メールを作成する場合には、可搬型表示装置１００に対して所定の操作を行うことにより、例えば、アルファベットキーや５０音キーなどからなるソフトウエアキーボードをＬＣＤ１０７に表示し、このソフトウエアキーボードとタッチパネル１２１を通じて、電子メールを作成することができる。そして、送信キーを操作するなどの所定の操作を行うことにより、作成した電子メールをベース装置２００に送信し、ベース装置２００を通じて相手先に送信することができる。
【００９５】
また、この実施の形態においては、モデムと電話回線を通じてインターネットに接続する場合を説明したが、その他のネットワーク回線（例えばイーサネット（登録商標）等）に接続したり、当該他のネットワーク回線を通じて、インターネットなどの別のネットワークに接続したりするようにすることも可能である。
【００９６】
この場合には、モデム２２０ではなく、例えば、ＵＳＢ（Ｕｎｉｖｅｒｓａｌ  Ｓｅｒｉａｌ  Ｂｕｓ）などのデジタルインターフェースやハブ（Ｈｕｂ）を通じて目的とするネットワークに接続し、そのネットワークを通じて情報を取得したり、情報を送信したりすることができるようにされる。
【００９７】
このように、ベース装置２００は、ＶＴＲ、ＳＴＢ、ＩＲＤ、ＤＶＤ装置などの外部入力装置、地上波テレビ放送、インターネットなどの通信ネットワークなどの各種の情報伝送媒体と可搬型表示装置１００、大画面表示装置３００とを結びつけるベースとなるものである。
【００９８】
また、可搬型表示装置１００、大画面表示装置３００はともに表示装置としての機能を有するものである。そして、可搬型表示装置１００の場合には、ベース装置２００から情報信号の供給を受けて、これを再生して出力し、使用者に提供することはもとより、電子メールなどの送信情報を形成し、これをベース装置２００を通じて送信したり、さらに、ベース装置２００を通じてこれに接続された大画面表示装置３００や外部入力装置などを制御したりする遠隔操作装置としての機能を有するものである。
【００９９】
［ジェスチャー入力について］
そして、この実施の形態の映像表示システム１においては、可搬型表示装置１００のＬＣＤ１０７に設けたタッチパネル１２１をユーザーが例えば指などで横方向になぞる操作による操作入力に放送チャンネル切り換えコマンド（選局コマンド）を割り付け、また、タッチパネル１２１をユーザーが例えば指などで縦方向になぞる操作入力に画面の入れ換えコマンドを割り付けるようにしている。
【０１００】
すなわち、この実施の形態においては、図４において、右方向の矢印にて示すジェスチャー入力ＯＰＡに対してチャンネルアップ「＋」の選局コマンドを割り付け、左方向の矢印にて示すジェスチャー入力ＯＰＢに対してチャンネルダウン「−」の選局コマンドを割付けている。
【０１０１】
また、図４において、上方向の矢印にて示すジェスチャー入力ＯＰ２に対してスローコマンドを割付け、図５に下方向の矢印にて示すジェスチャー入力ＯＰ１に対してキャッチコマンドを割付け、さらに、上方向から下方向に折り返す矢印にて示すジェスチャー入力ＯＰ３に対してスワップコマンドを割付けている。
【０１０２】
なお、後述もするが、スローコマンドは、可搬型表示装置１００で視聴しているチャンネルを大画面表示装置３００でも視聴するチャンネルとするものである。また、キャッチコマンドは、大画面表示装置３００で視聴しているチャンネルを可搬型表示装置でも視聴するチャンネルとするものである。また、スワップコマンドは、可搬型表示装置１００で視聴するようにしているチャンネルと、大画面表示装置３００で視聴するようにしているチャンネルとを入れ換えるものである。
【０１０３】
また、ここで用いたチャンネルという文言は、第１、第２のチューナで選局可能なテレビ放送チャンネルだけを意味するものではない。第１のチューナからの映像、音声の供給路、第２のチューナからの映像、音声の供給路、外部入力装置からの映像、音声の供給路、インターネットを通じて取得した映像、音声の供給路など、利用可能な映像、音声の供給路の総称としてチャンネルと言う文言を用いている。
【０１０４】
このように、この実施の形態の映像表示システム１では、ユーザーが頻繁に行う操作入力に、可搬型表示装置１００のＬＣＤ１０７上に貼付されたタッチパネル１２１上をなぞる操作を用いることによって、ユーザーにとって感覚的に非常に分かりやすい操作で、より簡単かつ迅速に目的とする操作を行うことができるようにしている。
【０１０５】
なお、この実施の形態の映像表示システム１においては、所定の操作を行うことにより、いわゆるコントロールパネル表示などの操作用表示情報を表示し、目的とする表示項目が表示されている位置のタッチパネル上を指などで接触されることにより、例えば、ベース装置に接続された外部入力機器に対する詳細な操作入力を行うこともできるようにされている。
【０１０６】
しかし、同じようにタッチパネルに対して操作を行うようにする場合であっても、従来の操作用表示情報をも用いる操作入力とは区別するため、操作用表示情報などは用いることなく、タッチパネル１２１の全面（２次元平面）を操作範囲とし、タッチパネル１２１上をユーザーが指などでなぞる操作による操作入力をこの明細書においてはジェスチャー入力と呼ぶこととする。
【０１０７】
次に、ジェスチャー入力を受け付ける可搬型表示装置１００においての動作について説明する。図５は、ＬＣＤ１０７の表示画面に貼付されたタッチパネル１２１に対する指などの接触を検知した場合の可搬型表示装置１００の動作について説明するためのフローチャートである。
【０１０８】
可搬型表示装置１００の制御部１３０は、座標検出部１２２を通じてタッチパネル１２１へのユーザーの指などの接触があるか否かを監視しており、タッチパネル１２１への接触が発生したことを検知すると、可搬型表示装置１００の制御部１３０は、座標検出部１２２を通じて、一定時間毎にタッチパネル１２１上のユーザーの接触位置の座標を検出して、接触開始時点から接触終了時点までの接触位置の座標変化を検出するようにする（ステップＳ１）。
【０１０９】
そして、制御部１３０は、座標検出部１２２からの検出結果に基づいて、接触位置の変化について、タッチパネル１２１上の縦方向の変化量と横方向の変化量との比率（縦横比）を求め、この求めた縦横比により、横方向のジェスチャー入力が発生したのか、縦方向のジェスチャー入力が発生したのかを判別する（ステップＳ２）。
【０１１０】
ステップＳ２において、横方向のジェスチャーが発生したと判断したときには、制御部１３０は、接触開始から接触終了までの距離であるジェスチャー距離は、予め決められた規定値以上か否かを判断する（ステップＳ３）。ステップＳ３の判断処理において、ジェスチャー距離が規定値に満たないと判断した場合には、誤ってタッチパネル１２１に接触してしまった等、目的とする操作を行うためのジェスチャー入力ではない可能性が高いので、制御部１３０は、今回のタッチパネル１２１への接触は無視し（ステップＳ１４）、次のジェスチャー入力の待機状態になる（ステップＳ１５）。
【０１１１】
また、ステップＳ３において、ジェスチャー距離が規定値以上であると判断したときには、接触開始から接触終了までの接触持続時間（ジェスチャー時間）が予め決められる規定時間範囲内であるか否かを判断する（ステップＳ４）。この判断は、誤ってタッチパネル１２１に触れてしまったり、あるいは、画面の汚れを拭いたりするなどのためにタッチパネル１２１に比較的に長い時間触れ続けるなど、ジェスチャー入力ではないタッチパネル１２１に対する接触をジェスチャー入力と誤認識することを防止するためのものである。
【０１１２】
ステップＳ４の判断処理において、接触持続時間（ジェスチャー時間）が規定時間範囲内ではないと判断したときには、制御部１３０は、今回のタッチパネル１２１への接触は無視し（ステップＳ１４）、次のジェスチャー入力の待機状態になる（ステップＳ１５）。
【０１１３】
また、ステップＳ４の判断処理において、接触持続時間（ジェスチャー時間）が規定時間範囲内にあると判断した場合には、可搬型表示装置１００の制御部１３０は、受け付けたジェスチャー入力をチャンネルの切り換え操作入力であると判断して、受け付けたジェスチャー入力の移動方向に応じてチャンネルアップ「＋」又はチャンネルダウン「−」の選局コマンドを示す操作信号を形成してこれを送信処理部１１２からベース装置２００に送信し、ベース装置２００から可搬型表示装置１００に送信する情報信号を目的とするチャンネルからのものに変更する一連の選局処理を行うようにする（ステップＳ５）。
【０１１４】
さらに、この実施の形態の可搬型表示装置１００においては、タッチパネル１２１に指などを接触させてタッチパネル１２１上を横方向に所定距離以上移動させ、移動を停止させた位置に指などを接触させたままの状態（ペンダウン状態）としておくことにより、一定時間毎に指示された方向（チャンネルアップ方向、または、チャンネルダウン方向）に順次にチャンネルを換えるようにするいわゆるリピート選局処理を行うことができるようにしている。
【０１１５】
このため、可搬型表示装置１００の制御部１３０は、ステップＳ５の選局処理の後、受け付けたジェスチャー入力がまだ入力継続状態にあるか、すなわち、ペンダウン状態にあるか否かを判断し（ステップＳ６）、ペンダウン状態にないとい判断した場合には、ジェスチャー入力は完了したと判断して、次の操作入力の待機状態になる（ステップＳ１５）。
【０１１６】
ステップＳ６の判断処理において、ペンダウン状態にあると判断した場合には、その接触位置が横方向の移動の終了位置、若しくは、終了位置のごく近傍であり、リピート選局処理の実行を指示するものか否かを判断し（ステップＳ７）、リピート選局を指示してはいないと判断した場合には、ジェスチャー入力は完了したと判断して、次の操作入力の待機状態になる（ステップＳ１５）。
【０１１７】
ステップＳ７の判断処理において、リピート選局を指示していると判断したときには、可搬型表示装置１００の制御部１３０は、自機が備えるタイマーあるいはカウンターの機能を用い、一定時間毎に選局チャンネルを変えた選局コマンドを示す操作信号を形成し、これを送信処理部１１２からベース装置２００に送信して、ベース装置２００から可搬型表示装置１００に送信する情報信号を目的とするチャンネルからのものに変更する一連の選局処理を行うようにする（ステップＳ８）。
【０１１８】
このステップＳ８の選局処理の後、可搬型表示装置１００の制御部１３０は、ステップＳ７からの処理を繰り返す。ペンダウン状態が継続し、そのペンダウン位置（指などの接触位置）が横方向の移動終了位置、あるいはその近傍にある間において、上述したように、ステップＳ７、ステップＳ８の処理を繰り返すことによって、リピート選局処理が行われる。
【０１１９】
なお、チャンネル切り換え操作入力のジェスチャー入力が、その移動終了位置において、タッチパネル１２１に接触させた指などを離すか、あるいは、移動終了位置から例えば移動方向とは逆方向などに移動させた場合には、上述したステップＳ７の判断処理において、リピート選局を指示していないと判断されて、リピート選局処理は解除される。
【０１２０】
このように、ステップＳ２の判断処理において、横方向ジェスチャーが発生したと判断した場合には、チャンネル切り換えのための処理が行うようにされる。
【０１２１】
また、ステップＳ２の判断処理において、縦方向のジェスチャーが発生したと判断したときには、その受け付けたジェスチャー入力について、そのジェスチャー方向が、上方向、下方向、あるいは、下方向と上方向の折り返しのいずれかであるか否かを判断する（ステップＳ９）。
【０１２２】
ステップＳ９の判断処理において、ジェスチャー方向が上方向、下方向、又は下方向と上方向の折り返し以外であると判断した場合には、画面の入れ換え操作入力ではないと判断したときには、そのジェスチャー入力を無視して（ステップＳ１４）、次の操作入力の待機状態になる（ステップＳ１５）。
【０１２３】
また、ステップＳ９の判断処理において、ジェスチャー方向が上方向、下方向、又は下方向と上方向の折り返しのいずれかであると判断した場合には、受け付けたジェスチャー入力は、画面の入れ換え操作入力（スロー、キャッチ又はスワップの操作入力）であるので、制御部１３０は、接触開始から接触終了までの距離であるジェスチャー距離は、予め決められた規定値以上か否かを判断する（ステップＳ１０）。
【０１２４】
ステップＳ１０の判断処理において、ジェスチャー距離が規定値に満たないと判断した場合には、誤ってタッチパネル１２１に接触してしまった等、目的とする操作を行うためのジェスチャー入力ではない可能性が高いので、制御部１３０は、今回のタッチパネル１２１への接触は無視し（ステップＳ１４）、次のジェスチャー入力の待機状態になる（ステップＳ１５）。
【０１２５】
また、ステップＳ１０の判断処理において、ジェスチャー距離が規定値以上であると判断したときには、接触開始から接触終了までの接触持続時間（ジェスチャー時間）が予め決められる規定時間範囲内であるか否かを判断する（ステップＳ１１）。
【０１２６】
このステップＳ１１の判断処理は、上述したステップＳ４の判断処理と同様に、誤ってタッチパネル１２１に触れてしまったり、あるいは、画面の汚れを拭いたりするなどのためにタッチパネル１２１に比較的に長い時間触れ続けるなど、ジェスチャー入力ではないタッチパネル１２１に対する接触をジェスチャー入力と誤認識することを防止するためのものである。
【０１２７】
ステップＳ１１の判断処理において、接触持続時間（ジェスチャー時間）が規定時間範囲内ではないと判断したときには、制御部１３０は、今回のタッチパネル１２１への接触は無視し（ステップＳ１４）、次のジェスチャー入力の待機状態になる（ステップＳ１５）。
【０１２８】
なお、ステップＳ１０におけるジェスチャー距離の規定値及びステップＳ１１におけるジェスチャー時間の規定範囲は、ジェスチャー入力に割り付けるスローコマンド、キャッチコマンド又はスワップコマンドによりそれぞれ異なることになる。
【０１２９】
ステップＳ１１の判断処理において、接触持続時間（ジェスチャー時間）が規定時間範囲内にあると判断した場合には、可搬型表示装置１００の制御部１３０は、受け付けたジェスチャー入力を画面の入れ換え操作入力であると判断し、受け付けた操作入力が、スロー操作か、キャッチ操作か、スワップ操作かの別を示すなどを通知するアニメーション表示を行う（ステップＳ１２）。
【０１３０】
このアニメーション表示は、画面の入れ換え処理に多少の時間を要する場合もあるので、その間に何が行われているのかをユーザーに通知するためのものであり、メッセージを表示したり、人物やロボット、動物などのアニメーションを表示したりするなど、種々の態様で処理内容をユーザーに通知するようにするものである。
【０１３１】
ステップＳ１２の処理の後、可搬型表示装置１００の制御部１３０は、ベース装置２００と通信が可能かなどの確認を行い、可能である場合には、ジェスチャー入力の方向に応じてスローコマンド、キャッチコマンド又はスワップコマンドを示す操作信号を形成して送信処理部１１２を通じてベース装置２００に送信し、これをベース装置２００が受信して、可搬型表示装置１００からのスローコマンド、キャッチコマンド、スワップコマンドのいずれかのコマンドに従って、選局・画面入れ換え処理を行い（ステップＳ１３）、この後、次の操作入力の待機状態になる（ステップＳ１５）。
【０１３２】
［スロー処理について］
次に、この実施の形態の映像表示システム１において行われる画面入れ換え処理であって、図５に示したステップＳ１３に行われることになるスロー操作時の処理、キャッチ操作時の処理、スワップ操作時の処理のそれぞれについて説明する。まず、スロー処理について説明する。
【０１３３】
図６〜図８は画面切り換え処理の１つであるスロー操作時の処理（スロー切り換え処理）について説明するための図である。スロー操作は、上述もしたように、可搬型表示装置１００で視聴しているチャンネルを大画面表示装置３００でも視聴するチャンネルとするものである。
【０１３４】
具体的に示せば、例えば、図６に示すように、ベース装置２００は、大画面表示装置３００には放送チャンネルである４チャンネル（４Ｃｈ）を選局することにより得た情報信号を有線を通じて供給し、可搬型表示装置１００には放送チャンネルである１チャンネル（１Ｃｈ）を選局することにより得た情報信号を無線を通じて供給している場合に、スローコマンドを受け付けたときには、ベース装置２００は、大画面表示装置３００にも放送チャンネルである１チャンネル（１Ｃｈ）を選局することにより得た情報信号を供給するようにする。
【０１３５】
この場合、図７（Ａ）に示すように、大画面表示装置３００の表示画像は、放送チャンネルである４チャンネルを通じて得ていたコンテンツＡの表示画像（図７（Ａ）（１））から、放送チャンネルである１チャンネルを通じて得たコンテンツＢの表示画像（図７（Ａ）（２））に変わることになる。また、図７（Ｂ）に示すように、可搬型表示装置１００の表示画像は、変わることはないが、スロー処理により画面入れ換え処理中であることを通知する表示（図７（Ｂ）（２））が行われることになる。
【０１３６】
このようなスロー操作時における、この映像表示システム１の各装置の動作について説明する。図８は、スロー操作時の可搬型表示装置１００、ベース装置２００、大画面表示装置３００の動作を説明するためのフローチャートであり、スロー操作のジェスチャー入力を可搬型表示装置１００が受け付けた場合に、図５のフローチャートに示したステップＳ１３において行われる処理である。
【０１３７】
そして、図８において、図８Ａは、可搬型表示装置１００、ベース装置２００の動作を説明する部分であり、主にベース装置２００の動作を中心に示した部分である。また、図８Ｂは、大画面表示装置３００の動作を示した部分である。以下、図８に従って、スロー操作が行われた場合のこの実施の形態の映像表示システム１を構成する各装置の動作について説明する。
【０１３８】
図５のステップＳ１２において説明したように、可搬型表示装置１００がスローコマンドを送信し、これをベース装置２００がアンテナ２１１、共用器２１０、受信処理部２１２を通じて受信して制御部２３０に通知すると、ベース装置２００の制御部２３０は、図８のフローチャートに示す手順で可搬型表示装置１００側と大画面表示装置３００側のスロー操作制御を並行処理により行う。
【０１３９】
すなわち、ベース装置２００は、可搬型表示装置１００に対して、スロー操作処理中であることを通知するアニメーション表示制御を開始させるように指示を出し、可搬型表示装置１００のＬＣＤ１０７にスロー操作処理中を示すアニメーション表示を行う（ステップＳＡ１）。
【０１４０】
そして、可搬型表示装置１００の制御部１３０は、スロー操作が可能であるか否かを判断する（ステップＳＡ２）。このステップＳＡ２の処理は、無線圏外等で通信不能な状態や、ベース装置２００側で操作ロックされている状態にある場合などスロー操作ができない場合を判別するようにしている。
【０１４１】
ステップＳＡ２の判断処理において、スロー操作が不能であると判断したときには、可搬型表示装置１００の制御部１３０は、ＬＣＤ１０７にエラー表示を行い（ステップＳＡ３）、アニメーション表示を終了して（ステップＳＡ４）、スロー操作制御を終了する。
【０１４２】
また、ステップＳＡ２の判断処理において、スロー操作が可能であると判断した場合には、可搬型表示装置１００側から大画面表示装置３００の受信チャンネルを可搬型表示装置１００の受信チャンネルに切り換える処理を呼び出し（ステップＳＡ５）、アニメーション表示を終了して（ステップＳＡ６）、スロー操作制御を終了する。
【０１４３】
このステップＳＡ５の処理においては、可搬型表示装置１００からの要求に応じて、ベース装置２００の制御部２３０は、セレクタ２０６を制御して、可搬型表示装置１００に無線送信している映像信号と音声信号とを出力端子２１５を通じても出力するようにする。
【０１４４】
大画面表示装置３００側では、受信チャンネルを切り換える処理の呼び出しを受理すると（ステップＳＢ１）、画面のフェードアウト及び音声のミュート制御を行い（ステップＳＢ２）、スキャンレートの変更などの信号切換処理を行い（ステップＳＢ３）、画面のフェードアウト及び音声のミュート制御を解除して（ステップＳＢ４）、スロー操作制御を終了する。
【０１４５】
このようなスロー操作制御により、図７（Ａ）に示すように、大画面表示装置３００の表示内容が、上記可搬型表示装置１００の表示内容に切り換えられる。このスロー操作では、図７（Ｂ）に示すように、可搬型表示装置１００の表示内容は、切り換えられることなく、このスロー操作を行ったことが図７（Ｂ）（２）に示すようにアニメーション表示される。
【０１４６】
［キャッチ処理について］
次に、キャッチ操作処理について説明する。図９〜図１１は画面切り換え処理の１つであるキャッチ操作処理（キャッチ切り換え処理）について説明するための図である。キャッチ操作処理は、上述もしたように、大画面表示装置３００で視聴しているチャンネルを可搬型表示装置１００でも視聴するチャンネルとするものである。
【０１４７】
具体的に示せば、例えば、図９に示すように、ベース装置２００は、大画面表示装置３００には放送チャンネルである４チャンネル（４Ｃｈ）を選局することにより得た情報信号を有線を通じて供給し、可搬型表示装置１００には放送チャンネルである１チャンネル（１Ｃｈ）を選局することにより得た情報信号を無線を通じて供給している場合に、キャッチコマンドを受け付けたときには、ベース装置２００は、可搬型表示装置１００にも放送チャンネルである４チャンネル（１Ｃｈ）を選局することにより得た情報信号を供給するようにする。
【０１４８】
この場合、図１０（Ｂ）に示すように、可搬型表示装置１００の表示画像は、放送チャンネルである１チャンネルを通じて得ていたコンテンツＢの表示画像（図１０（Ｂ）（１））から、放送チャンネルである４チャンネルを通じて得たコンテンツＡの表示画像（図１０（Ｂ）（３））に変わることになる。この場合、可搬型表示装置１００の表示画面には、キャッチ処理により画面入れ換え処理中であることを通知する表示（図１０（Ｂ）（２））が行われることになる。また、図１０（Ａ）に示すように、大画面表示装置３００の表示画像は、変わることはない。
【０１４９】
このようなキャッチ操作処理時における、この映像表示システム１の各装置の動作について説明する。図１１は、キャッチ操作処理時の可搬型表示装置１００、ベース装置２００、大画面表示装置３００の動作を説明するためのフローチャートであり、キャッチ操作処理のジェスチャー入力を可搬型表示装置１００が受け付けた場合に、図５のフローチャートに示したステップＳ１３において行われる処理である。
【０１５０】
そして、図１１において、図１１Ａは、可搬型表示装置１００、ベース装置２００の動作を説明する部分であり、主にベース装置２００の動作を中心に示した部分である。また、図１１Ｂは、大画面表示装置３００の動作を示した部分である。以下、図１１に従って、キャッチ処理が指示された場合のこの実施の形態の映像表示システム１を構成する各装置の動作について説明する。
【０１５１】
図５のステップＳ１２において説明したように、可搬型表示装置１００がキャッチコマンドを送信し、これをベース装置２００がアンテナ２１１、共用器２１０、受信処理部２１２を通じて受信して制御部２３０に通知すると、ベース装置２００の制御部２３０は、図１１のフローチャートに示す手順で可搬型表示装置１００側と大画面表示装置３００側のキャッチ操作制御を並行処理により行う。
【０１５２】
すなわち、ベース装置２００は、可搬型表示装置１００に対して、キャッチ操作処理を行うことを示す表示を行うにするキャッチ処理中であることを通知するアニメーション表示制御を開始させるように指示を出し、可搬型表示装置１００のＬＣＤ１０７にキャッチ操作処理中を示すアニメーション表示を行う（ステップＳＡ１１）。
【０１５３】
そして、可搬型表示装置１００の制御部１３０は、キャッチ操作処理が可能であるか否かを判断する（ステップＳＡ１２）。このステップＳＡ１２の判断処理は、図８に示したスロー処理のステップＳＡ２の処理と同様に、無線圏外等で通信不能な状態や、ベース装置２００側で操作ロックされている状態にある場合などキャッチ操作ができない場合を判別するようにしている。
【０１５４】
ステップＳＡ１２の判断処理において、キャッチ操作が不能であると判断したときには、可搬型表示装置１００の制御部１３０は、ＬＣＤ１０７にエラー表示を行い（ステップＳＡ１３）、この後、アニメーション表示を終了して（ステップＳＡ１４）、キャッチ操作制御を終了する。
【０１５５】
また、ステップＳＡ１２の判断処理において、キャッチ操作が可能であると判断した場合には、可搬型表示装置１００側で大画面表示装置３００側の受信チャンネルを取得するようにする（ステップＳＡ１５）。そして、可搬型表示装置１００側から可搬型表示装置１００の受信チャンネルを切り換える処理を呼び出し（ステップＳＡ１６）、アニメーション表示を終了する（ステップＳＡ１７）。
【０１５６】
そして、ベース装置２００は、可搬型表示装置１００側の受信チャンネルをステップＳＡ１５で取得するようにした大画面表示装置３００側の受信チャンネルに切り換える処理を実行して（ステップＳＡ１８）、キャッチ操作制御の終了となる。
【０１５７】
なお、ステップＳＡ１８において、可搬型表示装置１００側の受信チャンネルを切り換える処理の実行中は、可搬型表示装置１００側の映像と音声をミュートする。
【０１５８】
大画面表示装置３００側では、受信チャンネルを切り換える処理の呼び出しを受理すると（ステップＳＢ１１）、チャンネルを切り換えを行わずに、可搬型表示装置１００側に受信チャンネルをキャッチされたことを示すメッセージ表示を、例えば、図１０（Ａ）（２）に示したように、ＯＳＤ（Ｏｎ  Ｓｃｒｅｅｎ  Ｄｉｓｐｌａｙ）により一定時間表示し（ステップＳＢ１２）、この後、ＯＳＤによるキャッチ表示を解除して（ステップＳＢ１３）、キャッチ操作制御を終了する。
【０１５９】
このようなキャッチ操作制御により、図１０（Ａ）に示すように、大画面表示装置３００の表示内容は、切り換えられることなく、ＯＳＤによるキャッチ表示がなされ、図１０（Ｂ）に示すように、可搬型表示装置１００の表示内容が、アニメーション表示を経由して、大画面表示装置３００の表示内容に切り換えられる。
【０１６０】
［スワップ処理について］
次に、スワップ操作処理について説明する。図１２〜図１４は画面切り換え処理の１つであるスワップ操作処理（スワップ切り換え処理）について説明するための図である。スワップ操作処理は、上述もしたように、可搬型表示装置１００で視聴するようにしているチャンネルと、大画面表示装置３００で視聴するようにしているチャンネルとを入れ換えるようにするものである。
【０１６１】
具体的に示せば、例えば、図１２に示すように、ベース装置２００は、大画面表示装置３００には放送チャンネルである４チャンネル（４Ｃｈ）を選局することにより得た情報信号を有線を通じて供給し、可搬型表示装置１００には放送チャンネルである１チャンネル（１Ｃｈ）を選局することにより得た情報信号を無線を通じて供給している場合に、スワップコマンドを受け付けたときには、利用チャンネルが入れ換えられる。
【０１６２】
すなわち、この場合には、チャンネルを入れ換え、ベース装置２００は、大画面表示装置３００には可搬型表示装置１００に供給していた放送チャンネルである１チャンネル（１Ｃｈ）を選局することにより得た情報信号を有線を通じて供給するようにし、可搬型表示装置１００には大画面表示装置３００に供給していた放送チャンネルである４チャンネル（４Ｃｈ）を選局することにより得た情報信号を無線を通じて供給するように自動的に切り換える。
【０１６３】
この場合、大画面表示装置３００の表示画像は、図１３（Ａ）に示すように、スワップ操作前においては、コンテンツＡの表示画像（図１３（Ａ）（１））が表示されていたが、スワップ操作が行なわれることにより、それまで、可搬型表示装置１００で視聴可能とされていたコンテンツＢの表示画像が図１３（Ａ）（２）に示すように表示するようにされる。
【０１６４】
一方、可搬型表示装置１００の表示画像は、図１３（Ｂ）に示すように、スワップ操作前においては、コンテンツＢの表示画像（１３（Ｂ）（１））が表示されていたが、スワップ操作が行われることにより、それまで、大画面表示装置３００で視聴可能とされていたコンテンツＡの表示画像が図１３（Ｂ）（３）に示すように、可搬型表示装置１００のＬＣＤ１０７に表示するようにされる。
【０１６５】
なお、このスワップ操作処理時においても、可搬型表示装置１００の表示画面には、スワップ操作処理により画面入れ換え処理中であることを通知する表示（図１３（Ｂ）（２））が行われることになる。
【０１６６】
このようなスワップ操作処理時における、この映像表示システム１の各装置の動作について説明する。図１４は、スワップ操作処理時の可搬型表示装置１００、ベース装置２００、大画面表示装置３００の動作を説明するためのフローチャートであり、スワップ処理のジェスチャー入力を可搬型表示装置１００が受け付けた場合に、図５のフローチャートに示したステップＳ１３において行われる処理である。
【０１６７】
そして、図１４において、図１４Ａは、可搬型表示装置１００、ベース装置２００の動作を説明する部分であり、主にベース装置２００の動作を中心に示した部分である。また、図１４Ｂは、大画面表示装置３００の動作を示した部分である。以下、図１４に従って、スワップ操作処理が指示された場合のこの実施の形態の映像表示システム１を構成する各装置の動作について説明する。
【０１６８】
図５のステップＳ１２において説明したように、可搬型表示装置１００がスワップコマンドを送信し、これをベース装置２００がアンテナ２１１、共用器２１０、受信処理部２１２を通じて受信して制御部２３０に通知すると、ベース装置２００の制御部２３０は、図１４のフローチャートに示す手順で可搬型表示装置１００側と大画面表示装置３００側のスワップ操作制御を並行処理により行う。
【０１６９】
すなわち、ベース装置２００は、可搬型表示装置１００に対して、スワップ操作処理を行うことを示す表示を行うにするスワップ操作処理中であることを通知するアニメーション表示制御を開始させるように指示を出し、可搬型表示装置１００のＬＣＤ１０７にスワップ操作処理中を示すアニメーション表示を行う（ステップＳＡ２１）。
【０１７０】
そして、可搬型表示装置１００の制御部１３０は、スワップ操作が可能であるか否かを判定する（ステップＳＡ２２）。このステップＳＡ２２の判断処理は、図８に示したスロー処理のステップＳＡ２の処理と同様に、無線圏外等で通信不能な状態や、ベース装置２００側で操作ロックされている状態にある場合などスワップ操作ができない場合を判別するようにしている。
【０１７１】
ステップＳ２２の判断処理において、スワップ操作が不能であると判断したときには、可搬型表示装置１００の制御部１３０は、ＬＣＤ１０７にエラー表示を行い（ステップＳＡ２３）、この後、アニメーション表示を終了して（ステップＳＡ２４）、スワップ操作制御を終了する。
【０１７２】
ステップＳＡ２２の判断処理において、スワップ操作が可能であると判断した場合には、可搬型表示装置１００側で大画面表示装置３００側の受信チャンネルを取得するようにする（ステップＳＡ２５）。そして、可搬型表示装置１００側から大画面表示装置３００の受信チャンネルを可搬型表示装置１００の受信チャンネルに切り換える処理を呼び出し（ステップＳＡ２６）、アニメーション表示を終了する（ステップＳＡ２７）。
【０１７３】
すなわち、ステップＳＡ２５の処理においては、可搬型表示装置１００からの要求に応じて、ベース装置２００の制御部２３０は、セレクタ２０６を制御して、可搬型表示装置１００に無線送信していた映像信号と音声信号とを出力端子２１５を通じても出力するようにする。
【０１７４】
さらに、ベース装置２００は、セレクタ２０６を制御して、可搬型表示装置１００側の受信チャンネルをステップＳＡ２５で取得した大画面表示装置３００側の受信チャンネルに切り換える処理を実行して（ステップＳＡ２８）、キャッチ操作制御の終了となる。
【０１７５】
なお、ステップＳＡ２８において、可搬型表示装置１００側の受信チャンネルを切り換える処理の実行中は、可搬型表示装置１００側の映像と音声をミュートする。
【０１７６】
大画面表示装置３００側では、受信チャンネルを切り換える処理の呼び出しを受理すると（ステップＳＢ２１）、画面のフェードアウト及び音声のミュート制御を行い（ステップＳＢ２２）、スキャンレートの変更などの信号切換処理を行う（ステップＳＢ２３）。この後、画面のフェードアウト及び音声のミュート制御を解除して（ステップＳＢ２４）、スワップ操作制御を終了する。
【０１７７】
このようなスワップ操作制御により、図１３（Ａ）に示すように、大画面表示装置３００の表示内容が、可搬型表示装置１００の表示内容に切り換えられ、また、図１３（Ｂ）に示すように、可搬型表示装置１００の表示内容が、アニメーション表示を経由して、大画面表示装置３００の表示内容に切り換えられる。
【０１７８】
このように、この実施の形態の映像表示システム１においては、双方向通信システムを利用して、可搬型表示装置１００や大画面表示装置３００などの複数の表示装置にベース装置２００から映像信号を供給するに当たり、ベース装置２００に通信回線を通じて送信されて来る画像、音声、文字データを通常の映像または音声信号に変換する映像音声処理機能を持たせることにより、可搬型表示装置１００と大画面表示装置３００とで別々のインターネット画像（別々のホームページ）やメール等を見ることができるようになり、また、ベース装置２００と可搬型表示装置１００とにそれぞれハードディスク装置やメモリーカード等の記憶装置を持たせることにより、その記憶装置に記録されている画像情報やテキスト情報や音声情報を読み出して可搬型表示装置１００と大画面表示装置２００とで別々の画像や音声を出力することができるようになる。
【０１７９】
これにより、通常のテレビ放送信号により提供される映像や音声だけでなく、通信回線から入手した画像データ、テキストデータ、音声データ等や、さらに、記憶装置に記録されている画像、テキスト、音声情報をユーザーが指などで画面をなぞる操作により、映像機器間で映像の授受を行うことを可能にし、従来のリモコンのようなボタン操作とは異なり、感覚的に画像の入れ換えを行うことができるようにした映像表示システムを実現できる。
【０１８０】
なお、この映像表示システム１では、可搬型表示装置１００のタッチパネル１２１を設けたＬＣＤ１０７の表示画面の下側に、図４に示すようなコントロールパネル１０７ＰをＯＳＤ処理部１０５の機能により表示するようにし、このコントロールパネル１０７のスローボタンＴＢ、キャッチボタンＣＢ、スワップボタンＳＢを通じて、画面の入れ換えを行うようにすることもできる。
【０１８１】
つまり、コントロールパネル１０７ＰのスローボタンＴＢ、キャッチボタンＣＢ、スワップボタンＳＢに対する操作入力を可搬型表示装置１００の制御部１３０が受け付けることにより、スローコマンド、キャッチコマンド、スワップコマンドを生成するようにして、ジェスチャー入力に替えてボタン操作入力に応じて、スロー操作制御、キャッチ操作制御やスワップ操作制御を行うようにすることもできる。もちろん、選局チャンネルの変更についても、コントロールパネル１０７Ｐを通じて行うようにすることもできる。
【０１８２】
しかし、図４において、矢印ＯＰ１、ＯＰ２、ＯＰ３、ＯＰＡ、ＯＰＢに示したように、いわゆるジェスチャー入力により、操作入力を行うようにしておくことにより、ユーザーにとってより感覚的に分かりやすい操作によって、選局チャンネルの変更や画面の入れ換えを行うようにすることができるようにされる。
【０１８３】
また、上述もしたように、この映像表示システム１は、ベース装置２００に設けた図示しないロックスイッチにより、ジェスチャー入力やボタン操作入力によるスロー操作制御、キャッチ操作制御やスワップ操作制御を受け付けないようにすることもできるようにしている。
【０１８４】
このようにいわゆるロック機能を設けておくことにより、可搬型表示装置１００と大画面表示装置３００とで異なるコンテンツを異なる視聴者が視聴しているような場合に、誤って画面の入れ換えを行ってしまうことを防止することができる。
【０１８５】
また、上述した実施の形態の映像表示システム１は、可搬型表示装置１００、ベース装置２００、大画面表示装置３００とからなり、ベース装置２００から供給される映像信号や音声信号等の情報信号を可搬型表示装置１００と大画面表示装置３００とに供給して利用できるものとして説明したが、これに限るものではない。
【０１８６】
ベース装置２００は、複数の可搬型表示装置１００や複数の大画面表示装置３００に映像信号を無線による信号伝送あるいは有線による信号伝送により供給するようにすることももちろんできる。このように、複数の可搬型表示装置、大画面表示装置が接続された映像表示システムの場合にもこの発明を適用することができる。
【０１８７】
また、ベース装置２００がダブルチューナの構成ではなく、３つ以上の複数チューナの構成の場合であって、複数の可搬型表示装置と複数の大画面表示装置とで異なるチャンネルの選択が可能である場合、画面入れ換えを行う場合には、予め、各可搬型表示装置について、画面入れ換えの対象となる大画面表示装置、あるいは、可搬型表示装置を設定するようにすることにより、画面入れ換えの対象となる表示機器間を対応付けて管理し、ユーザーが目的とする入れ換えを行うようにすることができる。
【０１８８】
また、上述した実施の形態においては、選局チャンネルの変更と画面入れ換え処理とをジェスチャー入力により行う場合を例にして説明したが、ジェスチャー入力は上述したものに限るものではない。例えば、インターネットを通じて取得するＷｅｂページなどをベース装置２００、可搬型表示装置１００を通じて参照している場合には、横方向になぞる操作をブラウザの戻るボタン、進むボタンに対応したコマンドを割り付けるようにしてももちろんよい。
【０１８９】
その他、ジェスチャー入力に音量調整コマンド、輝度調整コマンド、電子メールの閲覧指示（戻る／進む）など、実行している処理等に応じて、ジェスチャー入力に割り当てるコマンドを変更するようにすることもできる。また、これらのことからも分かるように、可搬型表示装置１００とベース装置２００とからなる映像表示システムに対して、あるいは、可搬型表示装置１００のみに、この発明を適用することができる。すなわち、画面入れ換えだけでなく、ジェスチャー入力に種々のコマンドを割り当てることが可能である。
【０１９０】
もちろん、上述もしたように、ＬＣＤ１０７の表示画面中に、コントロールパネルにように、ブラウザの戻るボタンを操作用表示として表示されているのでそれ触れれば良いのだが、可搬型表示装置は小型軽量であることを求められるので画面サイズはあまり大きく出来ない。そのため、画面サイズが３〜４インチ或いはそれ以下となった場合、表示画面中に表示されたコントロールパネルなどの操作用表示がされている位置のタッチパネル上をうまく触ることが難しい場合も生じる。
【０１９１】
このため、可搬型表示装置の画面の外などに、操作ボタンキー（いわゆるメカボタン）を設けるようにすれば問題を解決できるが、その場合１つのコマンドに対して１つの操作ボタンキーが必要になってしまい、操作ボタンキーが多くなった場合には、その分画面が小さくなってしまうことも考えられる。
【０１９２】
しかし、ジェスチャー入力の場合には、表示画面上に設けられるタッチパネル上を比較的に広範囲に渡ってなぞるようにすると言う操作であり、操作がし難くなるなどの心配がない。また、ジェスチャー操作は、表示画面上のタッチパネル上を横方向になぞる、あるいは、縦方向になぞると言った、ユーザーにとって感覚的に非常に分かり安い操作であるため、確実に目的とする操作を行って、目的とする処理を実行させるようにすることができる。
【０１９３】
特に、セットの大きさはなるべく小さく、画面はなるべく大きくという相反する条件を求められる可搬型表示装置にとっては、ジェスチャー入力機能は好適であるといえる。
【０１９４】
また、上述した実施の形態において、ＬＣＤ１０７の縦方向にタッチパネル１２１上をなぞる操作による画面入替えの説明では、可搬型表示装置１００も大画面表示装置３００もチューナ選局をしている場合を例にして説明したが、これに限るものではない。一方がインターネット画像で他方がチューナであっても良いし、一方がハードディスク等の記憶装置からの画像で他方がＶＴＲ等の外部入力であっても、上述した実施の形態の場合と同様にして画面の入れ換えを行うようにすることができる。
【０１９５】
また、“キャッチ”、“スロー”、“スワップ”等の操作入力がインターネットや画像ファイル（メモリースティックやハードディスクに保存された静止画及び動画）を対象とした場合にも可能になり、テレビ放送により提供を受けている画像とインターネットを通じて提供を受けている画像の“スワップ”等の画像入れ換えも可能である。
【０１９６】
したがって、視聴者は今見ている画像が通常のテレビ放送により提供されている画像か、インターネットを通じて提供されている画像か、あるいは、記憶装置に保存されている画像かなどを意識して切り換える操作をすることなく、単純なジェスチャー入力により、表示画像の入れ換え処理を行うようにすることができる。
【０１９７】
また、いわゆるお絵かきソフト等のアプリケーションソフトを通じて形成するようにした画像も可搬型表示装置のみでしか表示できないなどの制約を設けることもなく、可搬型表示装置に表示されている画像を同じネットワークに接続された大画面の表示装置で表示することが可能となる。これにより、ユーザーの手元に置かれて用いられるいわば個人用の可搬型表示装置で表示されている画像を同じネットワークに接続された大画面表示装置に表示して家族全員で楽しむことができるなど、映像表示システムの新たな利用形態を実現することが可能となった。
【０１９８】
また、上述した実施の形態においては、タッチパネル１２１と座標検出部１２２とにより指示位置（タッチパネル１２１上のユーザーの指などの接触位置）の座標変化を検出する検出手段を構成するものとして説明したが、これに限るものではない。
【０１９９】
指示位置の座標変化を検出する検出手段としての機能を、種々のポインティングデバイス、例えば、マウス、トラックボール、トラックパッド、タブレット、デジタイザなどを用いることにより構成するようにしてももちろんよい。この場合には、可搬型表示装置１００に、上述のようなポインティングデバイスを接続し、その入力を受け付けて、指示位置の座標変化を検出できるようにすればよい。
【０２００】
【発明の効果】
以上説明したように、本発明によれば、従来のリモコンのようなボタン操作とは異なり、感覚的に分かりやすい単純な操作入力によって、種々の指示を装置に入力することができる。
【０２０１】
また、表示画面に設けられるタッチパネルなどの座標検出手段に対して、指などを接触させ、その接触の開始から終了までの一連の操作を操作入力として用いることができるようにすることにより、操作入力を受けるためのいわゆるコントロールパネルなどの操作用表示を増やしたり、操作ボタンキーなどを増やしたりすることを抑制し、持ち運び可能とされる操作入力受付装置の小型化をさらに進めることが可能となる。
【図面の簡単な説明】
【図１】この発明の一実施の形態が適用された映像表示システムの構成例を説明するための図である。
【図２】図１に示した映像表示システムにおける可搬型表示装置の構成例を説明するためのブロック図である。
【図３】図１に示した映像表示システムにおけるベース装置の構成例を説明するためのブロック図である。
【図４】図１に示した映像表示システムの可搬型表示装置の表示画面に設けたタッチパネルを介して入力されるジェスチャー操作入力について説明するための図である。
【図５】ジェスチャー操作入力が行われた場合の映像表示システムを構成する各装置の動作を説明するためのフローチャートである。
【図６】スロー処理について説明するための図である。
【図７】スロー処理について説明するための図である。
【図８】図１に示した映像表示システムにおけるスロー操作制御の手順を示すフローチャートである。
【図９】キャッチ処理について説明するための図である。
【図１０】キャッチ処理について説明するための図である。
【図１１】図１に示した映像表示システムにおけるキャッチ操作制御の手順を示すフローチャートである。
【図１２】キャッチ処理について説明するための図である。
【図１３】キャッチ処理について説明するための図である。
【図１４】図１に示した映像表示システムにおけるスワップ操作制御の手順を示すフローチャートである。
【符号の説明】
１…映像表示システム、１００…可搬型表示装置、１０１…送受信アンテナ、１０２…アンテナ共用器、１０３…受信処理部、１０４…デコード部、１０５…ＯＳＤ処理部、１０６…映像信号処理部、１０７…ＬＣＤ、１０８…音声信号増幅部、１０９…スピーカー、１１１…送信信号形成部、１１２…送信処理部、１２１…タッチパネル、１２２…座標検出部、１３０…制御部、１６０…ハードディスク、１７０…メモリースティック、２００…ベース装置、２０１Ａ，２０１Ｂ  …受信アンテナ、２０２Ａ，２０２Ｂ…チューナ、２０３Ａ，２０３Ｂ…復調部、２０４…映像信号入力端子、２０５…音声信号入力端子、２０６…セレクタ、２０７…圧縮処理部、２０８…送信信号形成部、２０９…送信処理部、２１０…アンテナ共用器、２１１…送受信アンテナ、２１５…信号出力端子、２１２…受信処理部、２３０…制御部、２１８…映像音声処理部、２１９…信号出力端子、２６０…ハードディスク、２７０…メモリースティック、３００…大画面表示装置
【図１】
2004336597.tif 000003
【図２】
2004336597.tif 000004
【図３】
2004336597.tif 000005
【図４】
2004336597.tif 000006
【図５】
2004336597.tif 000007
【図６】
2004336597.tif 000008
【図７】
2004336597.tif 000009
【図８】
2004336597.tif 000010
【図９】
2004336597.tif 000011
【図１０】
2004336597.tif 000012
【図１１】
2004336597.tif 000013
【図１２】
2004336597.tif 000014
【図１３】
2004336597.tif 000015
【図１４】
2004336597.tif 000016